(57)【要約】      （修正有）【課題】構造が簡単で、取り付けおよび使用が容易であり、眼鏡レンズを圧力によって変形又は破損させず、いつでも部品を交換することができる眼鏡フレームを提供する。【解決手段】眼鏡リムと眼鏡テンプルを含み、眼鏡リムのヨロイが分割されることにより、眼鏡フレームの端部が二つの部分１１、１２に分けられる。眼鏡フレームはさらに二つの端部のヨロイに設けられる眼鏡テンプル２取付用の第一嵌合孔１１１と、第一嵌合孔と交差して配置される第一固定孔と、第一固定孔に設けられる第一固定部品（ネジ孔を有する丸軸５）と、二つの端部のヨロイに設けられる第二固定孔１２１と、第二固定孔に設けられ、第一固定部品を締め付け、且つ眼鏡リム端部の二つの部分を締め付ける第二固定部品（ネジ６）とを含む。【選択図】図２
0003198789.tif 000002
【実用新案登録請求の範囲】
【請求項１】
ヨロイが分割されることにより、眼鏡フレームの端部が二つの部分に分けられる眼鏡リムと、
眼鏡テンプルと、
前記眼鏡フレームの二つの端部のヨロイに設けられる第一嵌合孔と、
前記眼鏡フレームの二つの端部のヨロイに設けられ、前記第一嵌合孔と交差して配置される第一固定孔と、
前記第一固定孔に設けられる第一固定部品と、
前記眼鏡フレームの二つの端部のヨロイに設けられる第二固定孔と、
前記第二固定孔に設けられ、第一固定部品を締め付け、且つ前記眼鏡リムの端部の二つの部分を締め付ける第二固定部品と
を含むことを特徴とする眼鏡フレーム。
【請求項２】
前記第一嵌合孔は長方形であることを特徴とする請求項１に記載の眼鏡フレーム。
【請求項３】
前記第一固定孔と前記第一嵌合孔は相互に交差的に設けられ、且つ前記第一固定孔の深さが前記第一嵌合孔の底部まで至ることを特徴とする請求項１に記載の眼鏡フレーム。
【請求項４】
前記第二固定孔は前記第一固定孔の設置方向と一致することを特徴とする請求項１に記載の眼鏡フレーム。
【請求項５】
前記第一固定部品が金属で作製され、前記第一固定部品の一つ部分がネジ円筒状であり、もう一つの部分が円筒状であることを特徴とする請求項１に記載の眼鏡フレーム。
【請求項６】
前記第一固定部品の円筒状部分にはネジが設けられることを特徴とする請求項5に記載の眼鏡フレーム。
【請求項７】
前記第一固定部品が第一固定孔に設置され、さらにエポキシ樹脂を媒体として第一固定部品のネジと眼鏡フレームと接続・固定することを特徴とする請求項5に記載の眼鏡フレーム。
【請求項８】
前記第一固定孔がネジ孔であり、第二固定孔がネジ孔ではないことを特徴とする請求項1に記載の眼鏡フレーム。
【請求項９】
前記眼鏡テンプルの端部には開口を含む、閉じられていない円形が設けられることを特徴とする請求項1に記載の眼鏡フレーム。
【請求項１０】
前記眼鏡テンプルにおいて円形の内円直径が第一固定部品の円筒状部分の外円直径より小さいことを特徴とする請求項8に記載の眼鏡フレーム。
【考案の詳細な説明】
【技術分野】
【０００１】
本考案は生活用品に関し、より具体的に、本考案は特に新規な構造を有する眼鏡フレームに関する。
【背景技術】
【０００２】
眼鏡は視力補正又は目を保護するために製作された簡単な光学デバイスであり、眼鏡レンズと眼鏡フレームで構成される。視力補正用の眼鏡は近視眼鏡、遠視眼鏡、老眼鏡及び乱視眼鏡の四種類を有する。眼鏡は目を保護する工具だけではなく、さらに美容機能を備える装飾品である。
【０００３】
一般的な天然素材によって作製された眼鏡フレームは、例えば、各種の動物の角、甲殻、天然木材又は加工された木材などで作製された眼鏡フレームであり、眼鏡レンズを取り付ける時に一般的な金属及びゴム眼鏡より難しく、それは天然材料の眼鏡が切断されやすく又は割れやすいためである。また、一般的な眼鏡の販売店は顧客の眼鏡レンズを拡大させることにより、眼鏡レンズを取り付けた後に眼鏡リムの手触りが強固で且つ眼鏡レンズが脱落しにくくなる。このような方法によって天然素材の眼鏡に取り付け、しばらくした後に眼鏡リムは大きな眼鏡レンズによって生成する圧力に耐えきれずに、壊れてしまう。
【０００４】
従来の技術において上記の問題を改善する眼鏡を有し、例えば、中国特許出願CN201080066245.4において、眼鏡に用いる組み立てシステムを含み、それは一つのヒンジ部材及び少なくとも一つの取付部を有し、該ヒンジ部材はテンプルに固定する一つの第一部分と、眼鏡フレームに固定する一つの第二部分とを有する。そのうち、該第一部分と第二部分は一つの回転ヒンジによって相互に接続し、且つ該第二部分は少なくとも一つの第一接続位置を有し、該第一接続位置は眼鏡リムの一つの第一固定領域における一つの第一固定点と接続することができる。それ以外、それは少なくとも一つの第二接続位置を有し、該第二接続位置は眼鏡フレームの一つの第二固定領域における一つの第二固定点に接続することができる。該取付部が眼鏡テンプル又は眼鏡リムにおいて該ヒンジ部材の反対に向ける側面に設置され、且つ該ヒンジ部材とともに作動することにより該眼鏡テンプル又は眼鏡リムを固定する。該技術は眼鏡圏を開閉する作用を有するが、それによって設置するシステムは眼鏡テンプルを接続することのみに用いられ、ヒンジを開閉する作用を有しない。以上から、上記の課題を解決していないと、分かる。
【０００５】
そのため、新規な眼鏡フレームを設計する必要があり、眼鏡フレームが長時間にわたって使われると壊れてしまって、且つ取り付けにくいという課題を解決する。
【考案の概要】
【考案が解決しようとする課題】
【０００６】
本考案が解決しようとする課題は、新型眼鏡フレームを提供することであり、任意の素材を採用しても、長時間にわたって使用しても眼鏡レンズ又は眼鏡リムが割れることが生じず、且つ構造が簡単で、使用しやすく、いつでも部品を交換することができる。
【課題を解決するための手段】
【０００７】
上記の目的を実現するため、本考案は以下の技術的解決手段を用いる。
【０００８】
眼鏡フレームであって、眼鏡リムと眼鏡テンプルを含み、そのうち、眼鏡リムのヨロイが分割されることにより、眼鏡フレームの端部分が二つの部分に分けられる。その特徴は以下のとおりである。
【０００９】
前記眼鏡フレームは、さらに、前記眼鏡フレームの二つの端部のヨロイに設けられる第一嵌合孔と、
【００１０】
前記眼鏡フレームの二つの端部のヨロイに設けられ、前記第一嵌合孔と交差して配置される第一固定孔と、
【００１１】
前記第一固定孔に設けられる第一固定部品と、
【００１２】
前記眼鏡フレームの二つの端部のヨロイに設けられる第二固定孔と、
【００１３】
前記第二固定孔に設けられ、第一固定部品を締め付け、且つ前記眼鏡リムの端部の二つの部分を締め付ける第二固定部品とを含む。
【００１４】
本考案の前記眼鏡フレームにおいて、前記第一嵌合孔は長方形である。
【００１５】
本考案の前記眼鏡フレームにおいて、前記第一固定孔と前記第一嵌合孔は相互に垂直に設けられ、且つ前記第一固定孔の深さは前記第一嵌合孔の底部まで至る。
【００１６】
本考案の前記眼鏡フレームにおいて、前記第二固定孔は前記第一固定孔の設置方向と一致である。一つの実施例において、第一固定孔は眼鏡リムのヨロイが分割された後に上下圏の前後方向へ移動できる空間を利用し、下から上に設けられて且つトップに突き抜けない。第二固定孔は下から上に設けられて且つ眼鏡ヨロイの下半部を突き抜ける。
【００１７】
本考案の前記眼鏡フレームにおいて、前記第一固定部品が金属で作製され、そのうち、前記第一固定部品の一つの部分がネジ円筒状であり、もう一つの部分は円筒状である。
【００１８】
本考案の前記眼鏡フレームにおいて、前記第一固定部品の円筒状にネジが設けられる。
【００１９】
本考案の前記眼鏡フレームにおいて、前記第一固定部品が第一固定孔に設置され、さらにエポキシ樹脂を媒体として第一固定部品におけるネジと眼鏡フレームと接続・固定させる。
【００２０】
本考案の前記眼鏡フレームにおいて、前記第一固定孔がネジ孔であり、且つ第二固定孔がネジ孔ではない。
【００２１】
本考案の前記眼鏡フレームにおいて、前記眼鏡テンプルの端部に開口を含む閉じられていない円形が設けられる。
【００２２】
本考案の前記眼鏡フレームにおいて、前記眼鏡テンプルにおける円形の内円直径が第一固定部品の円筒状部分の外円直径より小さい。
【考案の効果】
【００２３】
上記の技術的解決手段を用いることにより、従来の眼鏡フレームがいずれの素材でも製作されることができ、例えば、天然の木質材料、いずれの動物の角、甲殻、骨、プラスチック又は金属材料であり、緩める眼鏡フレームを備えるため、眼鏡レンズが長期間で使用することによる割れるリスクを防止できる。
【００２４】
また、本考案の眼鏡フレームは構造が簡単で、使用しやすく、部品を交換することができ、ユーザの使用コストを低減させることに有利である。また、本考案の眼鏡フレームは優れた把持力を有し、かける時に脱落を防止することができる。
【図面の簡単な説明】
【００２５】
【図１】図１は本考案の眼鏡リムの一つの実施例の構造を示す図である。
【図２】図2は本考案の一つの実施例の眼鏡フレームにおける各部品の構造を示す図である。
【図３】図3は本考案の眼鏡リムにおける丸軸の構造を示す図である。
【図４】図4は本考案におけるネジの構造を示す図である。
【図５】図5は本考案におけるテンプルの一つの端部の構造を示す図である。
【考案を実施するための形態】
【００２６】
以下、図面に基づいて、本考案の好ましい実施例を挙げ、本考案の技術的解決手段について詳しく説明する。
【００２７】
図1―図５に示すように、本考案の眼鏡フレームは眼鏡リム１と眼鏡テンプル2を含み、そのうち前記眼鏡リム１が眼鏡テンプル2と接続する。以下、具体的な接続方式を詳しく説明する。
【００２８】
前記眼鏡リム１の端部はヨロイを含み、該ヨロイが完全に切られることにより、眼鏡リム１が上下の二つの部分11と12に分けられ、眼鏡レンズを置きやすくする。一つの実施例において、ヨロイが部分的に切られてもよく、その目的も眼鏡レンズを眼鏡リム１に設置しやすくすることである。眼鏡テンプル２は眼鏡モダン３を含み、スナップリング４によって両者を接続し、このように接続力を増加させることができ、眼鏡モダン３と眼鏡テンプルを分離又は脱落しないようにする。
【００２９】
前記眼鏡フレーム１はさらに第一嵌合孔111を含み、前記二つのヨロイの裏面に設けられる。前記眼鏡テンプルの位置が取り付けられる前記第一嵌合孔111が長方形であることが好ましい。
【００３０】
前記眼鏡フレーム１はさらに第一固定孔を含み、前記眼鏡フレームの二つの端部のヨロイに設置され、前記第一嵌合孔111と交差して配置される。例えば、一つの実施例において、前記第一固定孔が水平位置に設けられると、第一嵌合孔111が垂直位置に設けられ、眼鏡の取り付けをやりやすくする。
【００３１】
前記眼鏡フレーム１はさらに第一固定部品を含み、前記第一固定孔に設けられる。前記第一固定部品は丸軸5であり、それは円筒部分とネジ円筒部分を含み、前記ネジ円筒部分にネジ51が設けられ、且つ円軸5にネジが設けられる。孔52は第一固定部品の内孔であり、ネジ孔である。
【００３２】
前記眼鏡フレーム１はさらに第二固定孔121を含み、前記眼鏡フレーム１の二つの端部のヨロイに設けられ、さらにそれは第二固定部品を含み、前記第二固定孔121に設けられることにより、第一固定部品をロックし、且つ前記眼鏡リムの端部の二つの部分を締め付ける。
【００３３】
一つの実施例において、前記第二固定部品はネジ6であり、ネジ61を含むことが好ましい。前記ネジ６と前記ネジ孔52に接続する。そのうち、前記ネジ6の底端に釘頭62が設けられる。前記釘頭62の直径と丸軸5の直径はすべて第二固定孔121の直径より大きく、このように釘頭62、丸軸5はすべて第二固定孔121を当接することができる。
【００３４】
一つの実施例において、前記第一固定孔の深さはちょうど前記第一嵌合孔111の底部に達する。
【００３５】
本考案の前記眼鏡フレームの一つの実施例において、前記第二固定孔121は前記第一固定孔の開設方向と一致する。第一固定孔は眼鏡リムのヨロイが分割された後に上下圏の前後方向へ移動できる空間を利用し、下から上に設けられて且つトップに突き抜けないことが好ましい。第二固定孔121は下から上に設けられて且つ眼鏡ヨロイの下半部を突き抜ける。
【００３６】
本考案の前記眼鏡フレームにおいて、前記眼鏡テンプル２の端部に開口を含む閉じられていない円形21が設けられる。前記眼鏡テンプルにおける円形の内円直径が第一固定部品の円筒状部分のネジ51の外円直径より小さく、眼鏡テンプル２を前記丸軸5の下半部分に嵌め込むことにより、挟持力を形成する。
【００３７】
実際に取り付けのプロセスにおいて、まず眼鏡レンズを眼鏡フレーム１に取り付け、ヨロイ位置に丸軸5を置き、さらに、眼鏡テンプル2を眼鏡フレーム１の上方に位置する丸軸5に取り付け、次に眼鏡フレーム２の下方を上に押し付け、且つネジ６を下方の第二固定孔121に置く。各部品の位置を調整し、ネジ６を締め付け、上下眼鏡リム部分11と12を締め付け、さらに眼鏡テンプル２を順調に活動できることを確認し、眼鏡テンプル２は丸軸５を回ってスムーズに回転できるようにする。上記のステップを完了すると、眼鏡全体の取り付けが完了する。眼鏡レンズを交換する場合には、ネジを緩める必要があるが、古い眼鏡レンズを取り外し、さらに上記のステップを繰り返すればよい。
【００３８】
本考案の眼鏡は構造が簡単で、すべて取り外すことができる部品であり、使用しやすく、生産効率が高く、且つ部品を交換することができる。眼鏡リム全体の設計は眼鏡レンズを長期間の使用によって圧力を受けず、眼鏡レンズが壊れてしまうという状況が発生することはない。
【００３９】
また、眼鏡テンプルが丸軸の下半部分に嵌め込まれ、このように本考案の眼鏡リムに挟持力を備えさせ、かける時に脱落することを防止する。
【００４０】
以上の前記具体的な実施例は、本考案が解決しようとする技術的問題、技術的解決手段及び有利な効果に対してさらに詳しく説明するためのものである。なお、以上は単なる本考案の具体的な実施例であり、本考案は限定されるものではなく、本考案に基づいて、いずれかの修正、変更、改善などを行ったとしてもすべて本考案の範囲に含まれる。
【図１】
0003198789.tif 000003
【図２】
0003198789.tif 000004
【図３】
0003198789.tif 000005
【図４】
0003198789.tif 000006
【図５】
0003198789.tif 000007